【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
外国為替証券を含む金融証券を市場に参加する複数の主体間で売買する方法であって、
前記複数の主体の第１の主体から特定の外国為替証券における第１の取引について第１の要求を受け付けるステップと、
前記特定の外国為替証券における第２の取引について前記複数の主体の第２の主体から受け付ける第２の要求であって、前記第２の取引が少なくとも部分的に前記第１の取引とカウンターである要求を特定するステップと、及び
前記第１の要求を前記第２の要求と突き合わせるステップ及び前記第１及び第２の主体をそれぞれ特定することなく、前記第１及び第２の取引を促進するステップと、
を含む方法であって、
前記促進するステップが、
前記第１の主体と仲介人との間での前記第１の取引の実行を企図するとともに、前記第２の主体と前記仲介人との間での前記第２の取引の実行を企図することにより、前記第１の取引の実行を前記第２の取引の実行とは無関係とするステップをさらに含む方法。
【請求項２】
前記第１の取引の貨幣化されたリスク価値を担保化するステップ及び前記第１の主体に少なくともその一部を委託保証金に対して担保として差し出すステップをさらに含む、請求項１に記載の方法。
【請求項３】
前記第１の取引を実行した結果として第１のポジションが生じる方法であって、
前記第１の取引の結果生じた第１のポジションを前記第１の主体の以前の取引の結果生じた第２のポジションと相関付けるステップ及び前記第１及び第２のポジションをネッティングするステップと
をさらに含む、請求項１に記載の方法。
【請求項４】
前記突き合わせるステップが、前記第１の取引において前記仲介人を前記第２の主体の代理とするステップ及び前記第２の取引において前記仲介人を前記第１の主体の代理とするステップをさらに含む、請求項１に記載の方法。
【請求項５】
前記代理とするステップが、ノベーションを起こすステップをさらに含む、請求項４に記載の方法。
【請求項６】
前記金融証券がさらに先物証券を含む方法であって、
前記第１の主体と関連する第１の口座において、前記外国為替証券の少なくとも１つに関する少なくとも１つの取引の結果として生じる少なくとも１つのポジションを記録するステップであって、前記第１の口座が、前記少なくとも１つのポジションに相当する貨幣化されたリスク価値及び担保として差し出された任意の担保価値未満の前記貨幣化されたリスク価値に相当する担保価値であることを特徴とするステップと、
前記第１の主体と関連する第２の口座において、前記先物証券の１つ又は複数に関する少なくとも１つの取引の結果として生じる少なくとも１つのポジションを記録するステップと、
前記第２の口座についての委託保証金を前記第２の口座の前記少なくとも１つのポジションに基づき計算するステップと、
前記第１の口座の前記担保価値の一部の担保を受け入れ、前記第２の口座の前記委託保証金を補填するステップと、及び、
前記第１の口座の前記担保価値及び前記第２の口座の前記委託保証金を前記担保に基づき減額するステップと、
をさらに含む、請求項１に記載の方法。
【請求項７】
前記委託保証金が前記担保価値の前記担保部分によっては充足されない場合に、前記第１の主体に対し追証を発行して前記委託保証金の残額を充当するステップをさらに含む、請求項６に記載の方法。
【請求項８】
前記第１の主体と関連する第１の口座において、前記外国為替証券の少なくとも１つに関する少なくとも１つの取引の結果として各々生じる複数のポジションを記録するステップであって、前記複数のポジションの各々が前記仲介人と前記第１の主体との間の後続の決済の対象となり、前記少なくとも１つの取引の各々が前記仲介人により前記少なくとも１つの取引と突き合わされる相対取引と関連付けられるステップと、
前記第１の口座における前記複数のポジションの第２のポジションと少なくとも部分的に相関する前記第１の口座における前記複数のポジションの第１のポジションを認識するステップであって、前記相関が前記第１及び第２のポジションを生じさせた前記少なくとも１つの取引と関連付けられる前記相対取引とは無関係であるステップと、
前記認識された第１のポジションを前記第２のポジションと結合させてネットポジションを作成するとともに前記ネットポジションを前記第１の口座に記録するステップと、及び
前記結合により帳消しとなる前記認識された第１のポジション、前記第２のポジション又はそれらの組み合わせのいずれかを消滅させるステップと、
をさらに含み、より少ないポジションが後続の決済用に前記第１の口座に残り得る、請求項１に記載の方法。
【請求項９】
外国為替証券及び先物証券を含む金融証券を市場に参加する複数の主体間で売買する方法であって、
前記複数の主体の第１の主体と関連する第１の口座において、前記外国為替証券の少なくとも１つに関する少なくとも１つの取引の結果として生じる少なくとも１つのポジションを記録するステップであって、該第１の口座は前記第１の口座が前記少なくとも１つのポジションに相当する貨幣化されたリスク価値及び担保として差し出された任意の担保価値未満の前記貨幣化されたリスク価値に相当する担保価値であることを特徴とするステップと、
前記第１の主体と関連する第２の口座において、前記先物証券の１つ又は複数に関する少なくとも１つの取引の結果として生じる少なくとも１つのポジションを記録するステップと、
前記第２の口座についての委託保証金を前記第２の口座の前記少なくとも１つのポジションに基づき計算するステップと、
前記第１の口座の前記担保価値の一部の担保を受け入れ、前記第２の口座の前記委託保証金を補填するステップと、及び
前記第１の口座の前記担保価値及び前記第２の口座の前記委託保証金を前記担保に基づき減額するステップと、
を含む方法。
【請求項１０】
前記第１の主体から特定の外国為替証券における第１の取引についての第１の要求を受け付けるステップと、
前記特定の外国為替証券における第２の取引について前記複数の主体の第２の主体から受け付ける第２の要求であって、前記第２の取引が少なくとも部分的に前記第１の取引とカウンターである要求を特定するステップと、及び
前記第１の要求を前記第２の要求と突き合わせるステップ及び前記第１及び第２の主体をそれぞれ特定することなく、前記第１及び第２の取引を促進するステップと、
を含む方法であって、
前記促進するステップが、
前記第１の主体と仲介人との間での前記第１の取引の実行を企図するとともに、前記第２の主体と前記仲介人との間での前記第２の取引の実行を企図することにより、前記第１の取引の実行を前記第２の取引の実行とは無関係とするステップをさらに含む、請求項９に記載の方法。
【請求項１１】
前記第１の取引を実行した結果として第１のポジションが生じる方法であって、
前記第１の取引の結果生じた第１のポジションを前記第１の主体の以前の取引の結果生じた第２のポジションと相関付けるステップ及び前記第１及び第２のポジションをネッティングするステップと、
をさらに含む、請求項１０に記載の方法。
【請求項１２】
前記突き合わせるステップが、前記第１の取引において前記仲介人を前記第２の主体の代理とするステップ及び前記第２の取引において前記仲介人を前記第１の主体の代理とするステップをさらに含む、請求項１０に記載の方法。
【請求項１３】
前記代理とするステップが、ノベーションを起こすステップをさらに含む、請求項１２に記載の方法。
【請求項１４】
前記委託保証金が前記担保価値の前記担保部分によっては充足されない場合に、前記第１の主体に対し追証を発行して前記委託保証金の残額を充当するステップをさらに含む、請求項９に記載の方法。
【請求項１５】
前記第１の主体と関連する第１の口座において、前記外国為替証券の少なくとも１つに関する少なくとも１つの取引の結果として各々生じる複数のポジションを記録するステップであって、前記複数のポジションの各々が前記仲介人と前記第１の主体との間の後続の決済の対象となり、前記少なくとも１つの取引の各々が前記仲介人により前記少なくとも１つの取引と突き合わされる相対取引と関連付けられるステップと、
前記第１の口座における前記複数のポジションの第２のポジションと少なくとも部分的に相関する前記第１の口座における前記複数のポジションの第１のポジションを認識するステップであって、前記相関が前記第１及び第２のポジションを生じさせた前記少なくとも１つの取引と関連付けられる前記相対取引とは無関係であるステップと、
前記認識された第１のポジションを前記第２のポジションと結合させてネットポジションを作成するとともに前記ネットポジションを前記第１の口座に記録するステップと、及び
前記結合により帳消しとなる前記認識された第１のポジション、前記第２のポジション又はそれらの組み合わせのいずれかを消滅させるステップと、
をさらに含み、より少ないポジションが後続の決済用に前記第１の口座に残り得る、請求項９に記載の方法。
【請求項１６】
外国為替証券を含む金融証券を市場に参加する複数の主体間で売買する方法であって、
前記複数の主体の第１の主体と関連する第１の口座において、前記外国為替証券の少なくとも１つに関する少なくとも１つの取引の結果として各々生じる複数のポジションを記録するステップであって、前記複数のポジションの各々が前記仲介人と前記第１の主体との間の後続の決済の対象となり、前記少なくとも１つの取引の各々が前記仲介人により前記少なくとも１つの取引と突き合わされる相対取引と関連付けられるステップと、
前記第１の口座における前記複数のポジションの第２のポジションと少なくとも部分的に相関する前記第１の口座における前記複数のポジションの第１のポジションを認識するステップであって、前記相関が前記第１及び第２のポジションを生じさせた前記少なくとも１つの取引と関連付けられる前記相対取引とは無関係であるステップと、
前記認識された第１のポジションを前記第２のポジションと結合させてネットポジションを作成するとともに前記ネットポジションを前記第１の口座に記録するステップと、及び
前記結合により帳消しとなる前記認識された第１のポジション、前記第２のポジション又はそれらの組み合わせのいずれかを消滅させるステップと、
をさらに含み、より少ないポジションが後続の決済用に前記第１の口座に残り得る方法。
【請求項１７】
前記第１の主体から特定の外国為替証券における第１の取引についての第１の要求を受け付けるステップと、
前記特定の外国為替証券における第２の取引について前記複数の主体の第２の主体から受け付ける第２の要求であって、前記第２の取引が少なくとも部分的に前記第１の取引とカウンターである要求を特定するステップと、及び
前記第１の要求を前記第２の要求と突き合わせるステップ及び前記第１及び第２の主体をそれぞれ特定することなく、前記第１及び第２の取引を促進するステップと、
を含む方法であって、
前記促進するステップが、
前記第１の主体と仲介人との間での前記第１の取引の実行を企図するとともに、前記第２の主体と前記仲介人との間での前記第２の取引の実行を企図することにより、前記第１の取引の実行を前記第２の取引の実行とは無関係とするステップをさらに含む、請求項１６に記載の方法。
【請求項１８】
前記突き合わせるステップが、前記第１の取引において前記仲介人を前記第２の主体の代理とするステップ及び前記第２の取引において前記仲介人を前記第１の主体の代理とするステップをさらに含む、請求項１７に記載の方法。
【請求項１９】
前記代理とするステップが、ノベーションを起こすステップをさらに含む、請求項１８に記載の方法。
【請求項２０】
前記第１の取引の貨幣化されたリスク価値を担保化するステップ及び前記第１の主体に少なくともその一部を委託保証金に対して担保として差し出すステップをさらに含む、請求項１６に記載の方法。
【請求項２１】
前記金融証券がさらに先物証券を含む方法であって、
前記第１の主体と関連する第１の口座において、前記外国為替証券の少なくとも１つに関する少なくとも１つの取引の結果として生じる少なくとも１つのポジションを記録するステップであって、前記第１の口座が、前記少なくとも１つのポジションに相当する貨幣化されたリスク価値及び担保として差し出された任意の担保価値未満の前記貨幣化されたリスク価値に相当する担保価値であることを特徴とするステップと、
前記第１の主体と関連する第２の口座において、前記先物証券の１つ又は複数に関する少なくとも１つの取引の結果として生じる少なくとも１つのポジションを記録するステップと、
前記第２の口座についての委託保証金を前記第２の口座の前記少なくとも１つのポジションに基づき計算するステップと、
前記第１の口座の前記担保価値の一部の担保を受け入れ、前記第２の口座の前記委託保証金を補填するステップと、及び、
前記第１の口座の前記担保価値及び前記第２の口座の前記委託保証金を前記担保に基づき減額するステップと、
をさらに含む、請求項１６に記載の方法。
【請求項２２】
前記委託保証金が前記担保価値の前記担保部分によっては充足されない場合に、前記第１の主体に対し追証を発行して前記委託保証金の残額を充当するステップをさらに含む、請求項２１に記載の方法。
【請求項２３】
外国為替証券を含む金融証券を市場に参加する複数の主体間で売買するためのシステムであって、前記システムが、
前記複数の主体の第１の主体から特定の外国為替証券における第１の取引について第１の要求を受け付けるように動作する要求受信部と、
前記要求受信部と連結され、前記特定の外国為替証券における第２の取引について前記複数の主体の第２の主体から受け付ける第２の要求であって、前記第２の取引が少なくとも部分的に前記第１の取引とカウンターである要求を特定するよう動作する突き合わせ識別部と、及び
前記突き合わせ識別部と連結され、前記第１の要求を前記第２の要求と突き合わせ、前記第１及び第２の主体をそれぞれ特定することなく、前記第１及び第２の取引を促進するように動作する突き合わせプロセッサと、
を含み、前記突き合わせプロセッサがさらに、前記第１の主体と仲介人との間での前記第１の取引の実行を企図するとともに、前記第２の主体と前記仲介人との間での前記第２の取引の実行を企図することにより、前記第１の取引の実行を前記第２の取引の実行とは無関係とするよう動作する決済プロセッサと連結される、システム。
【請求項２４】
前記第１の取引の貨幣化されたリスク価値を担保化し、前記第１の主体に少なくともその一部を委託保証金に対して担保として差し出すよう動作する担保プロセッサをさらに含む、請求項２３に記載のシステム。
【請求項２５】
前記第１の取引を実行した結果として第１のポジションが生じるシステムであって、
前記第１の取引の結果として生じた第１のポジションを前記第１の主体の以前の取引の結果として生じた第２のポジションと相関付けるとともに、前記第１及び第２のポジションをネットするよう動作するネッティングプロセッサと、
をさらに含む、請求項２３に記載のシステム。
【請求項２６】
前記決済プロセッサがさらに、前記第１の取引において前記仲介人を前記第２の主体の代理とし、前記第２の取引において前記仲介人を前記第１の主体の代理とするよう動作する、請求項２３に記載のシステム。
【請求項２７】
前記仲介人の前記第１及び第２の主体に対する前記代理により、ノベーションが起こる、請求項２６に記載のシステム。
【請求項２８】
前記金融証券がさらに先物証券を含むシステムであって、
前記第１の主体と関連する第１の口座において、前記外国為替証券の少なくとも１つに関する少なくとも１つの取引の結果として生じる少なくとも１つのポジションを記録するよう動作する第１の口座データベースであって、前記第１の口座が、前記少なくとも１つのポジションに相当する貨幣化されたリスク価値及び担保として差し出された任意の担保価値未満の前記貨幣化されたリスク価値に相当する担保価値であることを特徴とするデータベースと、
前記第１の主体と関連する第２の口座において、前記先物証券の１つ又は複数に関する少なくとも１つの取引の結果として生じる少なくとも１つのポジションを記録するよう動作する第２の口座データベースと、
前記第２の口座データベースと連結されるとともに前記第２の口座についての委託保証金を前記第２の口座の前記少なくとも１つのポジションに基づき計算する動作するリスクプロセッサと、
前記第１の口座データベース及び前記リスクプロセッサと連結されるとともに前記第１の口座の前記担保価値の一部の担保を受け入れ、前記第２の口座の前記委託保証金を補填するよう動作する担保プロセッサと、
をさらに含み、及び
前記リスクプロセッサがさらに、前記第１の口座の前記担保価値及び前記第２の口座の前記委託保証金を前記担保に基づき減額するよう動作する、請求項２３に記載のシステム。
【請求項２９】
前記委託保証金が前記担保価値の前記担保部分によっては充足されない場合に、前記リスクプロセッサがさらに、前記第１の主体に対し追証を発行して前記委託保証金の残額を充当するよう動作する、請求項２８に記載のシステム。
【請求項３０】
前記第１の主体と関連する第１の口座において、前記外国為替証券の少なくとも１つに関する少なくとも１つの取引の結果として各々生じる複数のポジションを記録するよう動作する第１の口座データベースであって、前記複数のポジションの各々が前記仲介人と前記第１の主体との間の後続の決済の対象となり、前記少なくとも１つの取引の各々が前記仲介人により前記少なくとも１つの取引と突き合わされる相対取引と関連付けられるデータベースと、
前記第１の口座データベースと連結されるとともに前記第１の口座における前記複数のポジションの第２のポジションと少なくとも部分的に相関する前記第１の口座における前記複数のポジションの第１のポジションを認識するよう動作するネッティングプロセッサであって、前記相関が前記第１及び第２のポジションを生じさせた前記少なくとも１つの取引と関連付けられる前記相対取引とは無関係であるプロセッサと、
をさらに含み、及び
前記ネッティングプロセッサがさらに、前記認識された第１のポジションを前記第２のポジションと結合させてネットポジションを作成するとともに前記ネットポジションを前記第１の口座に記録し、前記結合により帳消しされる前記認識された第１のポジション、前記第２のポジション又はそれらの組み合わせのいずれかを消滅させるよう動作し、
その結果より少ないポジションが後続の決済用に前記第１の口座に残り得る、請求項２３に記載のシステム。
【請求項３１】
外国為替証券及び先物証券を含む金融証券を市場に参加する複数の主体間で売買するためのシステムであって、
前記複数の主体の第１の主体と関連する第１の口座において、前記外国為替証券の少なくとも１つに関する少なくとも１つの取引の結果として生じる少なくとも１つのポジションを記録するよう動作する第１の口座データベースであって、該第１の口座は前記第１の口座が前記少なくとも１つのポジションに相当する貨幣化されたリスク価値及び担保として差し出された任意の担保価値未満の前記貨幣化されたリスク価値に相当する担保価値であることを特徴とするデータベースと、
前記第１の主体と関連する第２の口座において、前記先物証券の１つ又は複数に関する少なくとも１つの取引の結果として生じる少なくとも１つのポジションを記録するよう動作する第２の口座データベースと、
前記第２の口座データベースと連結されるとともに前記第２の口座についての委託保証金を前記第２の口座の前記少なくとも１つのポジションに基づき計算するよう動作するリスクプロセッサと、
前記第１の口座データベース及び前記リスクプロセッサと連結されるとともに前記第１の口座の前記担保価値の一部の担保を受け入れ、前記第２の口座の前記委託保証金を補填するよう動作する担保プロセッサと、
を含み、及び
前記リスクプロセッサがさらに、前記第１の口座の前記担保価値及び前記第２の口座の前記委託保証金を前記担保に基づき減額するよう動作する、システム。
【請求項３２】
前記第１の主体から特定の外国為替証券における第１の取引についての第１の要求を受信するよう動作する要求受信部と、
前記要求受信部と連結されるとともに前記特定の外国為替証券における第２の取引について前記複数の主体の第２の主体から受信する第２の要求であって、前記第２の取引が少なくとも部分的に前記第１の取引とカウンターである要求を識別するよう動作する突き合わせ識別部と、及び
前記突き合わせ識別部と連結され、前記第１の要求を前記第２の要求と突き合わせるとともに前記第１及び第２の主体をそれぞれ特定することなく、前記第１及び第２の取引を促進するよう動作する突き合わせプロセッサであって、前記第１の主体と仲介人との間での前記第１の取引の実行を企図するとともに、前記第２の主体と前記仲介人との間での前記第２の取引の実行を企図し、前記第１の取引の実行を前記第２の取引の前記実行とは無関係とするよう動作する決済プロセッサとさらに連結されるプロセッサと、
をさらに含む、請求項３１に記載のシステム。
【請求項３３】
前記第１の取引を実行した結果として第１のポジションが生じるシステムであって、
前記第１の取引の結果生じた第１のポジションを前記第１の主体の以前の取引の結果生じた第２のポジションと相関付けるとともに、前記第１及び第２のポジションをネットするよう動作するネッティングプロセッサと、
をさらに含む、請求項３２に記載のシステム。
【請求項３４】
前記決済プロセッサがさらに、前記第１の取引において前記仲介人を前記第２の主体の代理とするとともに、前記第２の取引において前記仲介人を前記第１の主体の代理とするよう動作する、請求項３２に記載のシステム。
【請求項３５】
前記仲介人の前記第１及び第２の主体に対する前記代理により、ノベーションが起こる、請求項３４に記載のシステム。
【請求項３６】
前記委託保証金が前記担保価値の前記担保部分によっては充足されない場合に、前記リスクプロセッサがさらに、前記第１の主体に対して追証を発行して前記委託保証金の残額を充当するよう動作する、請求項３１に記載のシステム。
【請求項３７】
前記第１の口座データベースがさらに、前記第１の主体と関連する前記第１の口座において、前記外国為替証券の少なくとも１つに関する少なくとも１つの取引の結果として各々生じる複数のポジションを記録するよう動作し、前記複数のポジションの各々が仲介人と前記第１の主体との間の後続の決済の対象となり、前記少なくとも１つの取引の各々が前記仲介人により前記少なくとも１つの取引と突き合わされる相対取引と関連付けられるシステムであって、
前記第１の口座データベースと連結されるとともに前記第１の口座における前記複数のポジションの第２のポジションと少なくとも部分的に相関する前記第１の口座における前記複数のポジションの第１のポジションを認識するよう動作するネッティングプロセッサであって、前記相関が前記第１及び第２のポジションを生じさせた前記少なくとも１つの取引と関連付けられる前記相対取引とは無関係であるプロセッサと、
をさらに含み、及び
前記ネッティングプロセッサがさらに、前記認識された第１のポジションを前記第２のポジションと結合させてネットポジションを作成するとともに前記ネットポジションを前記第１の口座に記録し、前記結合により帳消しされる前記認識された第１のポジション、前記第２のポジション又はそれらの組み合わせのいずれかを消滅させるよう動作し、
より少ないポジションが後続の決済用に前記第１の口座に残り得る、請求項３１に記載のシステム。
【請求項３８】
外国為替証券を含む金融証券を市場に参加する複数の主体間で売買するためのシステムであって、前記システムが、
前記複数の主体の第１の主体と関連する第１の口座において、前記外国為替証券の少なくとも１つに関する少なくとも１つの取引の結果として各々生じる複数のポジションを記録するよう動作する第１の口座データベースであって、前記複数のポジションの各々が仲介人と前記第１の主体との間の後続の決済の対象となり、前記少なくとも１つの取引の各々が前記仲介人により前記少なくとも１つの取引と突き合わされる相対取引と関連付けられるデータベースと、
前記第１の口座データベースと連結されるとともに前記第１の口座における前記複数のポジションの第２のポジションと少なくとも部分的に相関する前記第１の口座における前記複数のポジションの第１のポジションを認識するよう動作するネッティングプロセッサであって、前記相関が前記第１及び第２のポジションを生じさせた前記少なくとも１つの取引と関連付けられる前記相対取引と無関係であるプロセッサと、
を含み、及び
前記ネッティングプロセッサがさらに、前記認識された第１のポジションを前記第２のポジションと結合させてネットポジションを作成するとともに前記ネットポジションを前記第１の口座に記録し、前記結合により帳消しとなる前記認識された第１のポジション、前記第２のポジション又はそれらの組み合わせのいずれかを消滅させるよう動作し、
より少ないポジションが後続の決済用に前記第１の口座に残り得る、システム。
【請求項３９】
前記第１の主体から特定の外国為替証券における第１の取引についての第１の要求を受信するよう動作する要求受信部と、
前記要求受信部と連結されるとともに、前記特定の外国為替証券における第２の取引について前記複数の主体の第２の主体から受信する第２の要求であって、前記第２の取引が少なくとも部分的に前記第１の取引とカウンターである要求を識別するよう動作する突き合わせ識別部と、及び
前記突き合わせ識別部と連結され、前記第１の要求を前記第２の要求と突き合わせるとともに前記第１及び第２の主体をそれぞれ特定することなく、前記第１及び第２の取引を促進するよう動作する突き合わせプロセッサであって、前記第１の主体と前記仲介人との間での前記第１の取引の実行を企図するとともに、前記第２の主体と前記仲介人との間での前記第２の取引の実行を企図し、前記第１の取引の実行を前記第２の取引の前記実行とは無関係とするよう動作する決済プロセッサとさらに連結されるプロセッサ、
をさらに含む、請求項３８に記載のシステム。
【請求項４０】
前記決済プロセッサがさらに、前記第１の取引において前記仲介人を前記第２の主体の代理とするとともに前記第２の取引において前記仲介人を前記第１の主体の代理とするよう動作する、請求項３９に記載のシステム。
【請求項４１】
前記仲介人の前記第１及び第２の主体に対する前記代理により、ノベーションが起こる、請求項４０に記載のシステム。
【請求項４２】
前記第１の取引の貨幣化されたリスク価値を担保化するとともに前記第１の主体に少なくともその一部を委託保証金に対して担保として差し出すよう動作する担保プロセッサと、
をさらに含む、請求項３８に記載のシステム。
【請求項４３】
前記金融証券が先物証券をさらに含み、前記第１の口座データベースがさらに、前記第１の主体と関連する前記第１の口座において、前記外国為替証券の少なくとも１つに関する少なくとも１つの取引の結果として生じる少なくとも１つのポジションを記録するよう動作し、前記第１の口座が、前記少なくとも１つのポジションに相当する貨幣化されたリスク価値及び担保として差し出された任意の担保価値未満の前記貨幣化されたリスク価値に相当する担保価値であることを特徴とするシステムであって、
前記第１の主体と関連する第２の口座において、前記先物証券の１つ又は複数に関する少なくとも１つの取引の結果として生じる少なくとも１つのポジションを記録するよう動作する第２の口座データベースと、
前記第２の口座データベースと連結されるとともに前記第２の口座についての委託保証金を前記第２の口座の前記少なくとも１つのポジションに基づき計算するよう動作するリスクプロセッサと、
前記第１の口座データベース及び前記リスクプロセッサと連結されるとともに前記第１の口座の前記担保価値の一部の担保を受け入れ、前記第２の口座の前記委託保証金を補填するよう動作する担保プロセッサと、
をさらに含み、及び
前記リスクプロセッサがさらに、前記第１の口座の前記担保価値及び前記第２の口座の前記委託保証金を前記担保に基づき減額するよう動作する、請求項３８に記載のシステム。
【請求項４４】
前記委託保証金が前記担保価値の前記担保部分により充足されない場合、前記リスクプロセッサがさらに、前記第１の主体に対し追証を発行して前記委託保証金の残額を充当するよう動作する、請求項４３に記載のシステム。
【請求項４５】
外国為替証券を含む金融証券を市場に参加する複数の主体間で売買するためのシステムであって、前記システムが、
前記複数の主体の第１の主体から特定の外国為替証券における第１の取引についての第１の要求を受信するための手段と、
前記特定の外国為替証券における第２の取引について前記複数の主体の第２の主体から受信する第２の要求であって、前記第２の取引が少なくとも部分的に前記第１の取引とカウンターである要求を特定するための手段であって、前記受信するための手段と連結される特定するための手段と、及び
前記特定するための手段と連結される、前記第１の要求を前記第２の要求と突き合わせるとともに前記第１及び第２の主体をそれぞれ特定することなく、前記第１及び第２の取引を促進するための手段であって、前記突き合わせるための手段がさらに、前記第１の主体と仲介人との間での前記第１の取引の実行を企図するとともに前記第２の主体と前記仲介人との間での前記第２の取引の実行を企図し、前記第１の取引の実行を前記第２の取引の前記実行とは無関係とする手段と連結される手段、
を含む、システム。
【請求項４６】
外国為替証券及び先物証券を含む金融証券を市場に参加する複数の主体間で売買するためのシステムであって、前記システムが、
前記複数の主体の第１の主体と関連する第１の口座において、前記外国為替証券の少なくとも１つに関する少なくとも１つの取引の結果として生じる少なくとも１つのポジションを記録するための手段であって、前記第１の口座が、前記少なくとも１つのポジションに相当する貨幣化されたリスク価値及び担保として差し出された任意の担保価値未満の前記貨幣化されたリスク価値に相当する担保価値であることを特徴とする手段と、
前記第１の主体と関連する第２の口座において、前記先物証券の１つ又は複数に関する少なくとも１つの取引の結果として生じる少なくとも１つのポジションを記録するための手段と、
前記第２の口座についての委託保証金を前記第２の口座の前記少なくとも１つのポジションに基づき計算するための手段と、
前記第１の口座の前記担保価値の一部の担保を受け入れ、前記第２の口座の前記委託保証金を補填するための手段と、及び
前記第１の口座の前記担保価値及び前記第２の口座の前記委託保証金を前記担保に基づき減額するための手段と、
を含む、システム。
【請求項４７】
外国為替証券を含む金融証券を市場に参加する複数の主体間で売買するためのシステムであって、前記システムが、
前記複数の主体の第１の主体と関連する第１の口座において、前記外国為替証券の少なくとも１つに関する少なくとも１つの取引の結果として各々生じる複数のポジションを記録するための手段であって、前記複数のポジションの各々が仲介人と前記第１の主体との間の後続の決済の対象となり、前記少なくとも１つの取引の各々が前記仲介人により前記少なくとも１つの取引と突き合わされる相対取引と関連付けられる手段と、
前記第１の口座における前記複数のポジションの第２のポジションと少なくとも部分的に相関する前記第１の口座における前記複数のポジションの第１のポジションを認識するための手段であって、前記相関が前記第１及び第２のポジションを生じさせた前記少なくとも１つの取引と関連付けられる前記相対取引と無関係である手段と、
前記認識された第１のポジションを前記第２のポジションと結合させてネットポジションを作成するとともに前記ネットポジションを前記第１の口座に記録するための手段と、及び
前記結合により帳消しとなる前記認識された第１のポジション、前記第２のポジション又はそれらの組み合わせのいずれかを消滅させるための手段と、
を含み、より少ないポジションが後続の決済用に前記第１の口座に残り得る、システム。